(57)【特許請求の範囲】
【請求項１】
トリガレバーを有するガン本体に接着剤の容器の口を連結し、トリガレバーの操作により容器の口から押し出された接着剤をガン本体に設けられた吐出ノズルの先端から吐出する接着剤吐出ガンにおいて、トリガレバーの左右には上記ガン本体を跨ぐように配置された突片を形成し、該突片の先端側にトリガレバーの回動軸を設け、ガン本体には、上記左右の突片に対応する位置にロックシャフトを左右に移動自在に貫通させるとともに、上記左右の突片の上記ロックシャフトに対応する部位のうち一方を他方よりもロックシャフト側に突出させ、上記ロックシャフトを、上記ロックシャフト側に突出する一方の突片に係合するように移動させたときは、トリガレバーの作動をロックし、上記他方の突片に係合するように移動させたときは、トリガレバーの可動範囲における作動を許容するようにしたことを特徴とする接着剤吐出ガンの液漏れ防止機構。
【発明の詳細な説明】
【０００１】
【発明の属する技術分野】
本発明は、接着剤吐出ガンから知らぬ間に液漏れが発生するのを防止する液漏れ防止機構に関する。
【０００２】
【従来技術】
この種の接着剤吐出ガンには接着剤が充填された容器を装着して使用に供されている。接着剤容器の内部の接着剤はガス圧によって常に口から吐出ガン内に排出されるように構成されている。このため、吐出ガン内に流れ込んだ接着剤が勝手に吐出口から出ないように、吐出ガンにはトリガレバーを引いたときにのみ吐出する機構やつまみによる吐出量調整機構が設けられている。
【０００３】
【発明が解決しようとする課題】
しかしながら、接着剤吐出ガンを使用しないときに適当なところに置いた場合など、トリガレバーが予測しない部材に当たって少し動いてしまうことがあり、液漏れが生じることがあった。また、つまみの締め付けが不完全にしたまま放置した場合にも、緩みによって液漏れが生じることがある。
【０００４】
本発明は上記欠点を解消し、ワンタッチでトリガレバーを確実にロックして不測の液漏れを有効に防止することができる接着剤吐出ガンの液漏れ防止機構を提供することをその課題とする。
【０００５】
【課題を解決するための手段】
前記課題を解決するため、本発明に係る接着剤吐出ガンの液漏れ防止機構は、トリガレバーの操作により容器の口から押し出された接着剤をガン本体に設けられた吐出ノズルの先端から吐出する接着剤吐出ガンにおいて、トリガレバーの左右には上記ガン本体を跨ぐように配置された突片を形成し、該突片の先端側にトリガレバーの回動軸を設け、ガン本体には、上記左右の突片に対応する位置にロックシャフトを左右に移動自在に貫通させるとともに、上記左右の突片の上記ロックシャフトに対応する部位のうち一方を他方よりもロックシャフト側に突出させ、上記ロックシャフトを、上記ロックシャフト側に突出する一方の突片に係合するように移動させたときは、トリガレバーの作動をロックし、上記他方の突片に係合するように移動させたときは、トリガレバーの可動範囲における作動を許容するようにしたことを特徴とする。
【０００６】
【発明の実施の形態】
図１は接着剤吐出ガンの側面図であり、図２は吐出ガンの要部の断面図である。同図において符号１は接着剤吐出ガンを示し、２は接着剤の容器を示す。
【０００７】
接着剤吐出ガン１は、グリップ３を備えたガン本体４に吐出ノズル５を設けたもので、吐出ノズル５の基部に接着剤容器装着用の取付部６が形成され、取付部６に形成した穴７と吐出ノズル５の内部空間とが連設されている。
【０００８】
ガン本体４の上部の軸部１２にはトリガレバー８が回動自在に取り付けられている。トリガレバー８は、図３に示されるように、下部に断面がＵ字形の指掛け部９を備え、その上方に左右１対の突片１０、１１を分岐形成させて成るもので、一方の突片１０の後部には後述のロックシャフト１９に係合可能な係合部１３が切欠き形成されている。
【０００９】
吐出ノズル５の内部にはシールロッド１４が嵌挿されている。シールロッド１４の前端１４ａは吐出ノズル５の前端の吐出口５ａに当接、離間して開閉可能とし、シールロッド１４の後端はガン本体４の上部に設けられた空間部Ｓを貫通し、前後に移動自在に構成されている。また、シールロッド１４の後部にはブロック１５が固定されている。ブロック１５は上記空間部内にあり、このためシールロッド１４はブロック１５が上記空間部Ｓ内で移動できる範囲内で前後に作動できるようになっている。
【００１０】
上記ブロック１５の左右両側には軸体１６が設けられ、この軸体１６の両端がガン本体４の左右両側から突出している。そして、上記軸体１６はトリガレバー８の突片１０、１１に形成された長孔１７に係合している。
【００１１】
なお、上記空間部Ｓにはバネ１８が配置され、このバネ１８の力によりブロック１５は常時前方に移動するように付勢されている。このため、通常の状態ではシールロッド１４の前端は吐出ノズル５の吐出口５ａの内面に当接して吐出口５ａを閉じている。
【００１２】
ところで、上記ガン本体４には、上記トリガレバー８の突片１０の係合部１３に対応する位置にロックシャフト１９が左右に移動自在に貫通している。このロックシャフト１９の側端は、図４(a) に示すように、ガン本体４の左右両側から選択的に突出可能となっている。つまり、ロックシャフト１９はガン本体４の厚み寸法よりもやや長く、ロックシャフト１９の一側端がガン本体４から突出しているときは他側端はガン本体４の表面と略面一となり、上記一側端を指で押し込むことにより、今度は上記他側端がガン本体４の表面から突出するように構成されている。
【００１３】
上記構成において、接着剤容器２の口部２ａをガン本体４の取付部６に装着する。容器２内の接着剤ａはガス圧によって口部２ａから押し出され、吐出ノズル５内に充満する。このときも、接着剤ａはガス圧の作用により吐出ノズル５の先端から出ようとするが、シールロッド１４の先端が吐出ノズル５の吐出口５ａを閉じているから、接着剤ａは吐出されない。
【００１４】
そこで、図１に点線で示すようにトリガレバー８を引くと、ブロック１５の軸体１６を後方に移動させるから、シールロッド１４がバネ１８に抗して後退移動し、吐出ノズル５の吐出口５ａは開いて内部の接着剤ａが吐出される。トリガレバー８を離すと、ブロック１５とともにシールロッド１４がバネ１８により前進移動し、吐出ノズル５の吐出口５ａは閉じるから、接着剤ａの吐出は終了する。トリガレバー８は初期位置に戻る。
【００１５】
ところで、図４（ａ）に示すように、ロックシャフト１９の一端がトリガレバー８の突片１０の係合部１３側に突出するように移動させると、トリガレバー８を引き操作したとき、図１に示されるように、ロックシャフト１９は係合部１３の内側に係合（入り込む）するので、トリガレバー８は可動範囲を十分に作動する。これに対し、図４（ｂ）に示すように、ロックシャフト１９の突出側の端部を押し込んで反対側の端部を突出させると、トリガレバー８を引き操作しようとしても、図５に示されるように、トリガレバー８の突片１１の後縁がロックシャフト１９に係合するので、ロックされ、引くことができない。
【００１６】
このように、不使用時にはロックシャフト１９によりトリガレバー８はロックすることにより、不測の部材に当たっても動くことがない。したがって、確実に液漏れが生じるのを防止することができる。
【００１７】
なお、トリガレバーの突片の係合部は必ずしも切欠きである必要はない。逆に、一方の突片に凸状の係合部を形成し、この係合部にロックシャフトを係合（当接）させることによりトリガレバーをロックする構成とすることもできる。
【００１８】
また、トリガレバーの一方の突片に円形の係合部を形成し、この係合部にロックシャフトを係合（挿入）させることによりトリガレバーをロックする構成とすることもできる。
【図面の簡単な説明】
【図１】本発明に係る液漏れ防止機構を含む接着剤吐出ガンの側面図
【図２】上記吐出ガンの縦断面図
【図３】トリガレバーの斜視図
【図４】  (a) (b) はそれぞれ上記吐出ガンのロックシャフト部分の横断面図
【図５】トリガレバーのロック状態説明図
【符号の説明】
２  容器
４  ガン本体
５  吐出ノズル
８  トリガレバー
１０、１１  突片
１３  係合部
【図１】
0004524885.tif 000002
【図２】
0004524885.tif 000003
【図３】
0004524885.tif 000004
【図４】
0004524885.tif 000005
【図５】
0004524885.tif 000006